(57)【要約】【課題】地物検索性能の改善と地物表示性能の改善と地図システム管理者による用途に応じたメッシュサイズの変更などの地図情報システムの保守作業の削減が可能。【解決手段】地図表示領域に表示された前記地物の表示履歴情報を格納する表示履歴情報格納部103、および表示履歴情報格納部に格納された前記地物の表示履歴情報から前記地図表示領域への同じ地物の表示回数が所定回数となる当該地物に対応する前記複数個のメッシュを統合した拡張メッシュを算出するメッシュサイズ算出機能部204を備え、前記地図表示操作により前記同じ地物の表示がリクエストされると、前記地図表示領域に前記拡張メッシュで前記同じ地物が表示されることを特徴とする地図情報システムである。【選択図】図２
2014157300.tif 000002
【特許請求の範囲】
【請求項１】
ユーザ側の表示装置、および
地図を前記表示装置の表示画面に表示するための地図情報が格納されている地図情報格納部と、地物を前記表示装置の表示画面に表示するための地物情報が格納されている地物情報格納部と、前記表示装置の表示画面における地図表示領域に表示する地図情報を前記地図情報格納部から検索する機能を有する地図情報検索機能部と、前記表示装置の表示画面における前記地図表示領域にメッシュ単位で表示する地物情報を前記地物情報格納部から検索する機能を有する地物情報検索機能部とを有した地図表示装置、
を備え、前記ユーザ側の表示装置が地図表示操作されると、当該地図表示操作によるリクエストに応動して前記地図情報検索機能部が前記地図情報格納部から検索して前記表示画面における地図表示領域に前記地図表示操作によるリクエストに対応した地図を表示するように動作すると共に、地図表示操作によるリクエストに応動して前記地物情報検索機能部が前記地物情報格納部から検索して前記表示画面における地図表示領域に対応する複数個のメッシュで地物を表示するように動作する地図情報システムにおいて、
前記地図表示領域に表示された前記地物の表示履歴情報を格納する表示履歴情報格納部、および
表示履歴情報格納部に格納された前記地物の表示履歴情報から前記地図表示領域への同じ地物の表示回数が所定回数となる当該地物に対応する前記複数個のメッシュを統合した拡張メッシュを算出するメッシュサイズ算出機能部を備え、
前記地図表示操作により前記同じ地物の表示がリクエストされると、前記地図表示領域に前記拡張メッシュで前記同じ地物が表示される
ことを特徴とする地図情報システム。
【請求項２】
請求項１に記載の地図情報システムにおいて、
前記メッシュサイズ算出機能部がユーザ毎に前記拡張メッシュを算出し、前記ユーザ毎に前記拡張メッシュの算出に基づいて前記地図表示領域に前記拡張メッシュで前記同じ地物が表示される
ことを特徴とする地図情報システム。
【請求項３】
請求項１または請求項２に記載の地図情報システムにおいて、
前記地図表示装置が、表示履歴情報格納部および前記メッシュサイズ算出機能部を有している
ことを特徴とする地図情報システム。
【請求項４】
請求項１〜請求項３の何れか一に記載の地図情報システムにおいて、
メッシュサイズの算出コンセプトが定義付けられた定義情報格納部が設けられている
ことを特徴とする地図情報システム。
【請求項５】
請求項１〜請求項３の何れか一に記載の地図情報システムにおいて、
前記拡張メッシュの算出が前記表示装置の不使用時にバッチ処理される
ことを特徴とする地図情報システム。
【請求項６】
請求項１〜請求項５の何れか一に記載の地図情報システムにおいて、
前記拡張メッシュの算出結果を報告する報告機能部が設けられている
ことを特徴とする地図情報システム。
【請求項７】
請求項１〜請求項６の何れか一に記載の地図情報システムにおいて、
前記地図表示領域の地図のスクロールおよびスケール変更を判別し、前記スクロール中および前記スケール変更中は、前記地物情報検索機能部が前記地物情報格納部を前記検索する処理を不実行とする
ことを特徴とする地図情報システム。
【請求項８】
請求項１〜請求項７の何れか一に記載の地図情報システムにおいて、
前記地図表示領域に表示される頻度の少ない同一メッシュ内の複数の地物の表示を、前記地物情報検索機能部による検索負荷が軽減する簡略表示とする
ことを特徴とする地図情報システム。
【請求項９】
請求項１〜請求項８の何れか一に記載の地図情報システムにおいて、
システム運用開始前に、前記地物情報格納部に予め格納されている地物の分布状態から前記地物の密度の高い領域の複数個のメッシュを統合した拡張メッシュが算出され、前記前記地物の密度の高い領域の複数個のメッシュを統合した拡張メッシュ内の地物の表示がシステム運用開始後に前記地図表示操作によりリクエストされると、前記前記地物の密度の高い領域の複数個のメッシュを統合した拡張メッシュで当該地物が前記地図表示領域に表示される
ことを特徴とする地図情報システム。
【発明の詳細な説明】
【技術分野】
【０００１】
この発明は建物、マンホール、電柱、など空間的な位置情報（地図上の位置の情報）をもつ通称「地物」と呼ばれる管理物を地図上で管理する業務等に使用される地図情報システムに関するものである。
【背景技術】
【０００２】
従来の地図表示システムでは、地物を含む地図データを地図情報システム管理者が予め任意の矩形領域で分割したメッシュに基づいて運用され、ユーザがディスプレイ上に表示する地図表示領域にかかる前記メッシュの情報を地図表示システム自体が取得し、取得したメッシュの情報を、ユーザがディスプレイ上に表示する地図表示領域に地図および地図上の所定位置の地物を表示するシステムとしていた。
【先行技術文献】
【特許文献】
【０００３】
【特許文献１】特開平８-７７３２８号公報
【発明の概要】
【発明が解決しようとする課題】
【０００４】
従来の地図表示システムでは、地図データを分割するメッシュの大きさ(以下、「メッシュサイズ」と記す)を地図情報システム管理者が決定し、地図表示のシステムの運用を開始する。メッシュサイズは地図表示速度に依存するため、地図情報システム管理者はシステム運用開始後もユーザが地図をストレスなく参照できるようにするために、地図システム管理者が用途に応じて最適なメッシュサイズを決定する必要があった。
また、メッシュサイズを変更する場合、地図情報システム管理者がメッシュサイズの更新作業を手動で実施するという手間が発生する。
また、地図システム管理者が用途に応じて最適なメッシュサイズを決定したとしても、ユーザが地図表示の操作をする場合、用途によっては表示領域に存在する地物の全ては必要でなかったりする（業務上不要な地物が表示される）といった低い表示性能となるため、地図表示システムが不要な地物を含めて検索するため検索処理に時間がかかり、ユーザにもストレスを感じさせてしまう。
【０００５】
この発明は前述のような問題点を解決するためになされたもので、地物検索性能の改善と地物表示性能の改善と地図システム管理者による用途に応じたメッシュサイズの変更などの地図情報システムの保守作業の削減が可能な地図情報システムを提供することを目的とするものである。
【課題を解決するための手段】
【０００６】
この発明に係る地図情報システムは、ユーザ側の表示装置、および
地図を前記表示装置の表示画面に表示するための地図情報が格納されている地図情報格納部と、地物を前記表示装置の表示画面に表示するための地物情報が格納されている地物情報格納部と、前記表示装置の表示画面における地図表示領域に表示する地図情報を前記地図情報格納部から検索する機能を有する地図情報検索機能部と、前記表示装置の表示画面における前記地図表示領域にメッシュ単位で表示する地物情報を前記地物情報格納部から検索する機能を有する地物情報検索機能部とを有した地図表示装置、
を備え、前記ユーザ側の表示装置が地図表示操作されると、当該地図表示操作によるリクエストに応動して前記地図情報検索機能部が前記地図情報格納部から検索して前記表示画面における地図表示領域に前記地図表示操作によるリクエストに対応した地図を表示するように動作すると共に、地図表示操作によるリクエストに応動して前記地物情報検索機能部が前記地物情報格納部から検索して前記表示画面における地図表示領域に対応する複数個のメッシュで地物を表示するように動作する地図情報システムにいて、
前記地図表示領域に表示された前記地物の表示履歴情報を格納する表示履歴情報格納部、および
表示履歴情報格納部に格納された前記地物の表示履歴情報から前記地図表示領域への同じ地物の表示回数が所定回数となる当該地物に対応する前記複数個のメッシュを統合した拡張メッシュを算出するメッシュサイズ算出機能部を備え、
前記地図表示操作により前記同じ地物の表示がリクエストされると、前記地図表示領域に前記拡張メッシュで前記同じ地物が表示されるものである。
【発明の効果】
【０００７】
この発明は、ユーザ側の表示装置、および地図を前記表示装置の表示画面に表示するための地図情報が格納されている地図情報格納部と、地物を前記表示装置の表示画面に表示するための地物情報が格納されている地物情報格納部と、前記表示装置の表示画面における地図表示領域に表示する地図情報を前記地図情報格納部から検索する機能を有する地図情報検索機能部と、前記表示装置の表示画面における前記地図表示領域にメッシュ単位で表示する地物情報を前記地物情報格納部から検索する機能を有する地物情報検索機能部とを有した地図表示装置、を備え、前記ユーザ側の表示装置が地図表示操作されると、当該地図表示操作によるリクエストに応動して前記地図情報検索機能部が前記地図情報格納部から検索して前記表示画面における地図表示領域に前記地図表示操作によるリクエストに対応した地図を表示するように動作すると共に、地図表示操作によるリクエストに応動して前記地物情報検索機能部が前記地物情報格納部から検索して前記表示画面における地図表示領域に対応する複数個のメッシュで地物を表示するように動作する地図情報システムにいて、前記地図表示領域に表示された前記地物の表示履歴情報を格納する表示履歴情報格納部、および表示履歴情報格納部に格納された前記地物の表示履歴情報から前記地図表示領域への同じ地物の表示回数が所定回数となる当該地物に対応する前記複数個のメッシュを統合した拡張メッシュを算出するメッシュサイズ算出機能部を備え、前記地図表示操作により前記同じ地物の表示がリクエストされると、前記地図表示領域に前記拡張メッシュで前記同じ地物が表示されるので、地物検索性能の改善と地物表示性能の改善と地図システム管理者による用途に応じたメッシュサイズの変更などの地図情報システムの保守作業の削減が可能な地図情報システムを実現できる効果がある。
【図面の簡単な説明】
【０００８】
【図１】この発明の実施の形態１を示す図で、メッシュおよび表示領域の概念の説明図である。
【図２】この発明の実施の形態１を示す図で、地図情報システムの機能構成の一例を示す図である。
【図３】この発明の実施の形態１を示す図で、図２における地物情報格納部102内の空間情報テーブルおよびメッシュ定義テーブル、表示履歴情報格納部103、および統計情報格納部104の各々のテーブル内容の事例を示す図である。
【図４】この発明の実施の形態１を示す図で、処理（１）の手順をフローチャートで例示する図である。
【図５】この発明の実施の形態１を示す図で、処理（２）の手順をフローチャートで例示する図である。
【図６】この発明の実施の形態２を示す図で、地図情報システムの機能構成の他の例を示す図である。
【図７】この発明の実施の形態２を示す図で、図６における統計定義情報格納部205に格納された統計定義情報のデータの事例を示す図である。
【図８】この発明の実施の形態２を示す図で、処理（２）の手順をフローチャートで例示する図である。
【図９】この発明の実施の形態３を示す図で、地図情報システムの機能構成の更に他の例を示す図である。
【図１０】この発明の実施の形態３を示す図で、処理（２）の手順をフローチャートで例示する図である。
【図１１】この発明の実施の形態４を示す図で、地図連続操作のイメージを例示する図である。
【図１２】この発明の実施の形態４を示す図で、地図情報システムの機能構成の更に他の例を示す図である。
【図１３】この発明の実施の形態４を示す図で、図１２における連続操作統計定義情報格納部209の格納データの内容の事例を示す図である。
【図１４】この発明の実施の形態４を示す図で、処理（２）の手順をフローチャートで例示する図である。
【図１５】この発明の実施の形態５を示す図で、地図情報システムの機能構成の更に他の例を示す図である。
【図１６】この発明の実施の形態５を示す図で、図１６における地物種別検索／描画管理統計定義情報格納部211の格納データの内容の事例を示す図である。
【図１７】この発明の実施の形態５を示す図で、処理（２）の手順をフローチャートで例示する図である。
【図１８】この発明の実施の形態５を示す図で、簡略表示イメ−ジ図である。
【図１９】この発明の実施の形態６を示す図で、地図情報システムの機能構成の更に他の例を示す図である。
【図２０】この発明の実施の形態６を示す図で、図１９における地物密度統計定義情報格納部213の格納データの内容の事例を示す図である。
【図２１】この発明の実施の形態６を示す図で、処理（１）の手順をフローチャートで例示する図である。
【発明を実施するための形態】
【０００９】
実施の形態１．
本実施の形態では、ユーザが表示した領域やスケールをもとに地図情報システムの地物表示性能を最適にするためのメッシュサイズを決定する方法およびシステムを示す。本本実施の形態により、システム管理者が決定していた地物表示性能を最適にするためのメッシュサイズを算出可能とする。
【００１０】
以下この発明の実施の形態１を図１〜図５により説明する。図１はメッシュおよび表示領域の概念の説明図、図２は地図情報システムの機能構成の一例を示す図、図３は図２における地物情報格納部102内の空間情報テーブルおよびメッシュ定義テーブル、表示履歴情報格納部103、および統計情報格納部104の各々のテーブル内容の事例を示す図、図４は処理（１）の手順をフローチャートで例示する図、図５は処理（２）の手順をフローチャートで例示する図である。
【００１１】
先ず、図１によってメッシュおよび表示領域の概念を説明する。
地図および地図上の地物を、地図表示システムにおける表示装置の表示画面に表示する場合、例えば、地物を管理する業務に携わるユーザが、地図上の自己の必要とする地域をスクロールしたり拡大したりして表示する。表示された当該地域の地図には当該地図上の所定位置に管理対象の地物も重ねて表示される。例えば、相対的な位置関係が事前に設定された地図レイヤと地物レイヤとが重ねて表示画面に表示されるように構成されていることから地図上の所定位置に管理対象の地物が重ねて表示される。
地物レイヤは、システム管理者がメッシュサイズを設定する多数のメッシュからなるメッシュ構造となっており、メッシュに地物の情報が設定されている。ユーザが表示画面に必要とする地域を表示した場合、地図表示システム内でメッシュを対象とした自動検索が行われ、当該表示画面上の地図表示領域に対応する複数のメッシュが特定され、当該特定されたメッシュ上の地物が、前記必要とする地域の地図に重ねて、表示画面に表示される。
【００１２】
図１（ａ）は、ユーザが必要とする地域の地図の地図表示領域DAに少しでも係るメッシュMS（図の例ではメッシュ１〜９の９個のメッシュ）が全てメッシュの個別検索によって特定され、これら特定された９個のメッシュの前記地図表示領域に対応する地物が、前記地図表示領域の地図に重ねて表示される。つまり、図１（ａ）の例では、地図表示システムは、地図表示領域に対応する地物のデータを得るために、メッシュ１〜９の９個のメッシュMSが個別に検索される。従って、前記地図表示領域DAに表示された地図の拡大率が小さく、広範な地域の地図が表示された場合は、広範な地域の地図に対応するメッシュMSの数が増加して多数になれば、メッシュの数の増加に比例して前記メッシュの検索時間が長くなり、前記メッシュの検索が遅くなる（つまり、表示画面への地物の表示の完了が遅くなる）。
【００１３】
メッシュの個別検索の回数を減らすために、図１（ｂ）に例示のように、システム管理者がメッシュMSのサイズを大きくしてメッシュの数を減らすことも考えられるが、メッシュMSのサイズが大きくなれば当然ながら当該メッシュ内の地物の数が多くなる。従って、メッシュMSの大きさに比べて地図表示領域DAが可成り小さい場合は、地図表示システムでは図示のメッシュMSの地図表示領域DA以外の領域（図示の多数の点で示す領域）の地物も検索対象になるため、地図表示領域DA外の必要でない無駄な地物のデータを大量に取得することになり、地図表示システム内での地物検索処理時間は短くならず、表示画面への地物の表示の完了は早くならない。
【００１４】
そこで、本実施の形態１〜６は、同じ地図表示領域DAが業務の上で何度も繰り返して使用される場合に限って、所定回数繰り返して使用される地図表示領域に対応するメッシュを統合した拡張メッシュが地図表示システム内で自動編成されるようにし、前述の図１（ａ），（ｂ）の場合の問題点を解消するものである。
例えば、図１（ｃ）に例示のように、あるユーザが、地図表示領域DAN1を所定回数繰り返して使用した場合、地図表示システムが当該地図表示領域DAN1に対応するメッシュ１〜９の９個のメッシュを統合して１つの拡張メッシュMSB1に自動編成すれば、この自動編成後は、地図表示システムでの当該地図表示領域DAN1に対応するメッシュの検索処理では１個の拡張メッシュMSB1が検索対象となり、前述の図１（ａ）の場合の問題を解消でき、しかも地図表示領域外の無駄な地物データを取り込まないので前述の図１（ｂ）の場合の問題も解消できる。
【００１５】
同様に、他のユーザが、地図表示領域DANnを所定回数繰り返して使用した場合、地図表示システムが当該地図表示領域DANnに対応するメッシュ111〜114の４個のメッシュを統合して１つの拡張メッシュMSBnに自動編成すれば、この自動編成後は、地図表示システムでの当該地図表示領域DANnに対応するメッシュの検索処理では１個の拡張メッシュMSBnが検索対象となり、前述の図１（ａ）の場合の問題を解消でき、しかも地図表示領域外の無駄な地物データを取り込まないので前述の図１（ｂ）の場合の問題も解消できる。
つまり、業務内容の異なる、管理対象の地物が異なる複数のユーザが同じ地図表示システムを使用する場合があることから、ユーザ毎に前記拡張メッシュへの自動編成が行われるようにすれば至便である。
【００１６】
以下、本実施の形態１を実現する機能構成図を図２に、データ構成例を図３に、それぞれ示す。
機能構成図を例示する図２において、地図情報システム1234は、地図表示装置1020と、この地図表示装置1020に装置間接続線，ネットワーク等の接続媒体で接続されたユーザ側の表示装置3040とで構成されている。
地図表示装置1020は、地図情報格納部101と、地物情報格納部102と、表示履歴情報格納部103と、統計情報格納部104と、地図情報検索機能部201と、地物情報検索機能部202と、表示履歴登録機能部203と、最適メッシュサイズ算出機能部204とを有している。
ユーザ側の表示装置3040は、地図描画機能部301と、地物描画機能部302と、地図表示機能部401とを有している。
地図情報格納部101と、地物情報格納部102と、地図情報検索機能部201と、地物情報検索機能部202と、地図描画機能部301と、地物描画機能部302と、地図表示機能部401とは、従来の地図情報システムにおける地図表示装置およびユーザ側の表示装置にも存在するものである。
【００１７】
地図情報格納部101には、ベクトルやビットマップなどの地図を表示するためのいわゆる地図情報が格納されている。
地物情報格納部102は、地物と呼ばれる建物、マンホール、ほか等の空間に存在する管理対象物のいわゆる地物情報を格納するテーブル等である。
この地物情報格納部102には、空間情報テーブル（図３参照）およびメッシュ定義テーブル（図３参照）があり、図３に例示のように、空間情報テーブルは少なくとも地物を一意に識別する「地物ID」、地物の種類を表す「地物種別」、地物が存在するメッシュを表す「メッシュ番号」の項目を持ち、メッシュ定義テーブルは少なくとも「地物種別」、メッシュ定義の番号を表す「メッシュ定義番号」、メッシュの定義情報を表す「メッシュ定義情報」、メッシュ定義情報によってメッシュ番号を決定するための「メッシュ番号桁数」の項目を持つ。
【００１８】
表示履歴情報格納部103は、ユーザが、地図描画機能部301と地物描画機能部302と地図表示機能部とを有するユーザ側の表示装置3040を使ってユーザ等が表示画面に表示された地図をスクロール、スケール変更（表示された地図の拡大・縮小）、座標指定移動などの地図表示操作を行うことによって表示した地図の表示領域内の情報を格納するテーブルである。
この表示履歴情報格納部103のテーブルには、少なくともユーザを識別するための「ユーザID」、ユーザが表示装置3040の表示画面に表示した地図の表示領域（地図表示領域）の「中心座標」の項目を持つ。
【００１９】
統計情報格納部104は、最適メッシュサイズ算出機能部204で算出した最適あるいは適正なメッシュサイズを算出時に格納するテーブルである。
この統計情報格納部104のテーブルには、図３に例示のように、少なくとも算出した最適メッシュサイズを一意に識別する「統計ID」、最適メッシュサイズを算出した対象の「ユーザID」、算出した「最適メッシュサイズ」、算出した時間を表す「算出時間」の項目を持つ。
【００２０】
地図情報検索機能部201は、表示装置3040のディスプレイ等の表示画面における地図表示領域（以下、「表示領域」と記す）に表示する地図情報を地図情報格納部101から検索する機能を有している。
地物情報検索機能部202は、表示装置3040のディスプレイ等の表示画面における表示領域に表示する地物情報を地物情報格納部102から検索する機能を有している。
【００２１】
表示履歴登録機能部203は、ユーザが自己の業務のために、表示装置3040のディスプレイ等の表示画面に地図を表示操作する都度、表示装置3040の表示画面に表示された地図の表示領域の座標履歴情報を表示履歴情報格納部103に登録する機能を有している。
最適メッシュサイズ算出機能部204は、表示履歴登録機能部203で登録した表示領域情報を使用して、表示装置3040の表示画面によく表示される（何度も表示される）地図の表示画面上の表示領域を、メッシュを検索する負荷が小さくなる最適あるいは適正なメッシュサイズとして決定する機能を有している。
【００２２】
具体的には、最適メッシュサイズ算出機能部204は、地物情報格納部102(空間情報テーブル)の格納データ（図３（ａ）を参照）、地物情報格納部102(メッシュ定義テーブル)の格納データ（図３（ｂ）を参照）、表示履歴情報格納部103の格納データ（図３（ｃ）を参照）、および統計情報格納部104の格納データ（図３（ｄ）を参照）を使用して、表示装置3040の表示画面によく表示される（何度も表示される）地図の表示画面上の表示領域に対応する複数のメッシュを統合した当該複数のメッシュよりメッシュサイズの大きな拡張メッシュを算出して決定する機能を有している。
【００２３】
表示装置3040の表示画面によく表示される（何度も表示される）地図の表示画面上の表示領域に対応する複数のメッシュを統合した当該複数のメッシュよりメッシュサイズの大きな拡張メッシュとすることにより、拡張メッシュとした後は、表示装置3040の表示画面への同じ地図の表示の操作が行われた場合、前記表示領域に対応する複数のメッシュが検索されるのではなく拡張メッシュを検索することになるので、検索対象のメッシュの数が少なくなった分だけ検索時間は短くなり、表示の操作から、表示画面へ地物が表示されるまでの時間が短縮される。地図上の異なる多数の地域の地図と当該異なる多数の地域の地物とをも、地図上の異なる多数の地域の地域毎に、業務上、何度も表示画面に表示する必要がある場合は、拡張メッシュとすることにより業務効率が格段に向上することが期待される。
【００２４】
地図描画機能部301は、地図情報検索機能部201で検索した地図情報を地図に描画する機能を有している。
地物描画機能部302は、地物情報検索機能部202で検索した地物情報を地図に描画する機能を有している。
【００２５】
次に、動作を説明する。
本実施の形態の地図情報システムにおける動作の流れは、大綱的には、（１）ユーザが地図を表示する操作（以下、「地図表示操作」と略記する）した後、地図および地物を、表示装置3040の表示画面に、地図上の所定位置に重ねた状態に表示するとともに、ユーザが前記表示画面に表示した地図の前記表示画面上の領域（以下、「地図表示領域」と略記する）の表示地物の情報を履歴として登録する処理を行い（以下、「処理（１）」と略記する）、（２）処理（１）で登録された履歴における座標履歴情報をもとに最適メッシュサイズを算出する処理を行う（以下、「処理（２）」と略記する）ものである。
これら各処理（１），（２）の地図情報システム内での具体的な処理手順を、図４、図５にフローチャートで示してある。以下、図４、図５により処理（１），（２）について詳述する。
【００２６】
処理（１）
図４にも例示してあるように、ユーザが地図表示操作を行う（ステップST41）と、地物情報検索機能部202により、地物情報格納部102に格納された地物情報から地図表示領域に対応する地物情報を取得し、取得した地物情報を使用して、地図描画機能部301により地図を描画する（ステップST42）。これらの処理と同時に表示履歴登録機能部203はユーザのユーザID、地図操作種別、表示領域座標(ディスプレイ座標)および縮尺をリクエスト情報から取得する（ステップST43）。取得した情報から中心座標(ワールド座標)、スケール値、および表示サイズ(ディスプレイ座標)をユーザIDに紐付けて表示履歴情報格納部103に登録する（ステップST45）。この登録までの前記処理中に同一ユーザから次のリクエストが来た場合（ステップST44）は、当該登録の処理をキャンセルし、当該次のリクエストに対して前記登録の処理（ステップST45）を行う。
なお、前記リクエストとは、「ユーザによる地図表示操作により地図情報システム内に生じる処理要求」を意味する。また、登録までの前記処理中に同一ユーザから次のリクエストが来るような状態は、例えば、「地図上の見たい地域へスクロール（以下、「地図スクロール」と記す）した場合、スクロールの開始から終わりまでの間に、前記リクエストが複数発生する」場合に生じる。
【００２７】
処理（２）
前述の処理（１）によって表示履歴情報格納部103に蓄積された表示履歴情報を使用して、最適メッシュサイズ算出機能部204によって最適あるいは適正なメッシュサイズを算出する。
まず、表示履歴情報格納部103に登録された前記表示領域内の表示履歴をユーザID毎に全件取得する。
取得した表示履歴の情報において、図５にも例示してあるように、表示履歴情報の各項目、即ち中心座標、表示縮尺、表示サイズ(ディスプレイ座標)に対する平均値をそれぞれ算出（ステップST51）し、平均値から最も差の大きいデータ（(平均値-実際値)の最大値）を統計対象外から外し、平均値を再度算出する（ステップST52）。
ステップST52で再度算出した平均値において、表示縮尺と表示サイズ(ディスプレイ座標)を使用してワールド座標の表示サイズに変換したものを最適メッシュサイズとする（ステップST53）。
【００２８】
従来技術とは異なり、ユーザの表示領域の履歴を前述のように統計することで、検索性能を向上させるための最適メッシュサイズが算出し、地物情報を検索する際のメッシュ数を削減し、地物検索性能を向上可能とする。
【００２９】
実施の形態２．
前述の実施の形態１では、ユーザの表示履歴情報を統計することで、地物情報検索性能を向上するための最適メッシュサイズを算出可能としたが、本実施の形態２では、メッシュサイズを算出するためのコンセプトをユーザがカスタマイズ可能にするような機能を前述の実施の形態１に追加した実施の形態を示す。
本実施の形態２を実現する機能構成図を図５に、データ構成例を図６に、それぞれ示す。  以下、本実施の形態２について、実施の形態１の図２、図３と異なるものについてのみ以下に説明する。
【００３０】
統計定義情報格納部205は、表示履歴登録機能部203で表示領域の登録を行う際に、システム独自の最適メッシュサイズのコンセプトを実現するための定義項目を設定するファイルである。本実施の形態では、前記統計定義情報格納部205のファイルは、少なくともメッシュサイズを決定するための「メッシュサイズ補正間隔(ワールド座標)」、「メッシュサイズ統計件数」の項目を持つ。
【００３１】
次に動作について説明する。
動作の流れとしては、実施の形態１と同様であり、（１）ユーザが地図を操作後、地図および地物を地図に表示するとともにユーザの地図表示領域を履歴として登録し（処理（１））、（２）座標履歴情報をもとに最適メッシュサイズを算出するが、（２）の処理において、システム管理者が統計定義情報205で定義したメッシュサイズ算出コンセプトに基づいて最適メッシュサイズを算出する（処理（２））。処理（２）での処理手順をフローチャートにより図８に示し、以下、図８により処理（２）について詳述する。
【００３２】
処理（２）
処理（１）によって表示履歴情報格納部103に蓄積された表示履歴情報を使用して、最適メッシュサイズ算出機能部204によって最適メッシュサイズを算出する。
処理（２）によって、図８にも例示してあるが、統計定義情報格納部205からメッシュサイズ統計件数を取得し、表示履歴情報格納部103に登録された表示領域履歴をユーザID毎に先頭から同件数分取得し、取得した表示履歴情報において、中心座標、表示縮尺、表示サイズ(ディスプレイ座標)に対する平均値をそれぞれ算出し、平均値から最も差の大きいデータを統計対象外から外し、再度平均値を算出する（ステップST81〜ST84）。
【００３３】
同平均値において、表示縮尺と表示サイズ(ディスプレイ座標)を使用してワールド座標の表示サイズに変換し、統計定義情報格納部205の「メッシュサイズ補正間隔(ワールド座標座標)」の値を使用して算出されたメッシュサイズを補正する（ステップST85〜ST87）。補正方法としては、(メッシュサイズ補正桁数-1)の位の値を四捨五入したものを最終的な最適メッシュサイズとする。例えば、算出されたメッシュサイズが1102、メッシュサイズ補正間隔が2の場合、1位が四捨五入され、最終的なメッシュサイズは1100となる。
メッシュサイズ補正間隔が小さいほど、最適メッシュサイズの精度は向上する。
【００３４】
本実施の形態２によれば、前述の実施の形態１の効果に加えてシステム管理者が自由に最適メッシュサイズコンセプトを定義可能となる。
【００３５】
実施の形態３．
前述の実施の形態１，２では、ユーザの表示履歴情報を統計することで、地物情報検索性能を向上するための最適メッシュサイズを算出可能としたが、本実施の形態３では、最適メッシュサイズをシステム管理者に通知またはメッシュサイズの自動更新を可能とするような実施の形態を示す。
【００３６】
本実施の形態３の機能構成図を図９に例示する。図９は図６に更なる機能を追加したものであり、図６と異なるものについてのみ以下に説明する。
統計定義情報格納部205は、本実施の形態３では少なくとも、最適メッシュサイズを報告または自動更新を決定する「最適メッシュサイズ更新フラグ」、最適メッシュサイズ報告時の報告方法を決定する「最適メッシュサイズ報告モード」、最適メッシュサイズをログに出力する過去の件数を決定する「最適メッシュサイズ出力件数」の項目を持つ。
【００３７】
前記追加の最適メッシュサイズ報告機能部206は、最適メッシュサイズ算出機能部204から取得した最適メッシュサイズを統計定義情報格納部205に設定した定義に従って地図情報システム管理者にログやシステムで報告する機能を有する。
前記追加の最適メッシュサイズ更新機能部207は、最適メッシュサイズ算出機能部204から取得した最適メッシュサイズを地物情報格納部102に対して更新する機能である。
【００３８】
次に動作について説明する。
動作の流れとしては、（１）最適メッシュサイズを算出後（本実施の形態３では、以下、「処理（１）と記す」）、（２）統計定義情報格納部205の定義に従って「最適メッシュサイズをシステム管理者に報告する」または、「最適メッシュサイズの更新を地物情報格納部103のテーブルに対して自動更新(バッチ実行)する」を決定し、上記２つの処理のいずれかを実行する（本実施の形態３では、以下、「処理（２）と記す」）。
処理（１）は前述の実施の形態１, 実施の形態２と同様であるため、説明を省略し、処理（２）を説明する。処理（２）での処理手順を、フローチャートにより図１０に例示し、以下、図１０によって処理（２）について詳述する。
【００３９】
処理（２）
最適メッシュサイズ算出機能部204は最適メッシュサイズを算出後、統計定義情報格納部205の「最適メッシュサイズ更新フラグ」を取得する（ステップST101）。最適メッシュサイズ更新フラグがfalse（更新しない）場合（ステップST102）の処理を「処理（２）−１」、true（更新する）場合（ステップST102）の処理を「処理（２）−２」として、以下に説明する。
【００４０】
処理（２）−１
ステップST102の処理の結果、最適メッシュサイズ更新フラグがfalseの場合、同件数分の最適メッシュサイズ算出結果を統計情報格納部104から取得し（ステップST103）、全項目をログファイルに出力する（ステップST104）。出力されたログファイルは、システム管理者が参照し、現行システムより最適なメッシュサイズを検討および決定し、手動または最適メッシュサイズ更新機能部207によって更新するという用途を想定したものである。
【００４１】
処理（２）−２
ステップST102の処理の結果、最適メッシュサイズ更新フラグがtrueの場合、統計定義情報格納部205の「自動更新時間」と「自動更新日数間隔」のデータを取得し（ステップST105）、システム運用開始日時から自動更新時間後の日時(初回更新時)または、前回自動更新時間から自動更新時間後の日時(2回目以降更新時)を算出する（ステップST105）。算出した日時に最適メッシュサイズに従って地物情報格納部102をバッチ実行によって更新する（ステップST107）。ユーザが地図情報システムを使用しない深夜時間帯などに、最適メッシュサイズを更新することを用途とするため、バッチ実行で処理を行う。
【００４２】
次いで、バッチ実行による最適メッシュサイズ更新手順を説明する。
まず、地物情報格納部102におけるメッシュ定義情報（図３（ｂ）参照）に最適メッシュサイズの定義がされているかを確認する。
最適メッシュサイズが定義されていない場合、メッシュサイズ定義をメッシュ定義番号に紐づけて新規追加する。
次に、更新対象の地物レイヤの各地物の座標から最適メッシュサイズのメッシュ定義による新メッシュ番号を算出し、地物情報格納部102の空間情報テーブル（図３（ａ）参照）において、地物IDに紐付いた更新前の旧メッシュ番号を更新する。
メッシュ番号の計算は「X座標／X方向メッシュサイズ（X方向の場合であり、Y方向も同様）」の値の小数の数値をメッシュ番号の格納する。例えば、上記計算で算出された値が-12.345、メッシュ番号桁数が4の場合、メッシュ番号は10012となる。
【００４３】
従来、メッシュサイズの更新はシステム管理者が手動で実施しており、本実施の形態によれば、システムの停止や夜間などのシステムを使用しない時間に自動更新することにより、ユーザやシステム管理者の手間を軽減することが可能になる。
【００４４】
実施の形態４．
地図情報システムにおいて、マウスによる地図のスクロールや、マウスホイールによるスケール変更などの連続実行操作では、地図表示領域DAを移動する場合、マウスで移動操作が複数回連続で行われ、また、地図表示領域DAをここまで縮小する場合、マウスで縮尺変更操作が複数回連続で行われるので、地物表示のリクエストも複数存在することになるため、最後のリクエストの地物の検索と地物の描画までの処理完了に時間がかかる場合がある(図１１参照)。本実施の形態４では、地図の連続操作時にユーザの表示履歴情報をもとに複数のリクエストの不要な処理をキャンセルすることで、地物の検索と地物の描画までの処理完了の時間を削減可能とする。
【００４５】
本実施の形態４を実現する機能構成図を図１２、データ構成例を図１３に示す。機能構成図は図６と異なるものについてのみ以下に説明する。
連続操作地物情報検索管理機能部208は、スケール変更または地図スクロールの連続操作において、ユーザ操作から取得される複数のリクエスト情報のうち、表示履歴情報格納部103から表示頻度の少ないスケールまたは表示領域における地物情報検索機能部202の実行をキャンセルする機能である。
【００４６】
連続操作統計定義情報部209は、少なくとも、連続操作地物情報検索管理機能部208で地物情報検索機能部202の実行をキャンセルするための基準となる「地物情報検索キャンセルスケール頻出割合」、「地物情報検索キャンセル表示メッシュ頻出割合」、地物情報検索機能部202の実行をキャンセルする可否を決定する「地物情報検索キャンセル(スケール)フラグ」、「地物情報検索キャンセル(表示メッシュ)フラグ」、地物情報検索機能部202の実行をキャンセルする場合のキャンセル実行に必要な「表示履歴情報最小件数(スケール)」、「表示履歴情報最小件数(表示メッシュ)」の項目を持つ。
【００４７】
次に動作について説明する。
動作の流れとしては、（１）ユーザがマウスホイールによるスケール変更連続操作または地図スクロール連続操作後、地図および地物を地図に表示するとともに、ユーザの地図表示領域を履歴として登録し（本実施の形態４では「処理（１）」と記す）、（２）連続操作統計定義情報格納部209に従って地物情報検索機能部202の実行をキャンセルする（本実施の形態４では「処理（１）」と記す）。処理（１）は前述の実施の形態１と同様であるため、説明を省略し、処理（２）を説明する。処理（２）での処理手順をフローチャートにより図１４に示し、以下、処理（２）について図１４により詳述する。
【００４８】
処理（２）
連続操作地物情報検索管理機能部208は、ユーザがマウスホイールによるスケール変更連続操作または地図スクロール連続操作のリクエスト情報を取得する（ステップST141）。
連続実行操作は前回までのリクエスト処理中、すなわち、地物情報検索機能部202の機能の実行中に次のリクエストが来た場合に連続操作と判断する（ステップST143）。統計定義情報格納部209からスケール変更連続操作時は「地物情報検索キャンセル(スケール)フラグ」、地図スクロール連続操作時は「地物情報検索キャンセル(表示メッシュ)フラグ」を取得する（ステップST145，ST1416）。
これらフラグがfalseの場合（ステップST146，ST1417）、地物情報検索キャンセル処理を行わず、地物情報検索機能部202の機能を実行する（ステップST1414）。
これらフラグがtrueの場合（ステップST146，ST1417）、地物情報検索キャンセル処理を実行する。
【００４９】
タスクキャンセル処理について説明する。
まず、統計定義情報格納部209からスケール変更連続操作時は「表示履歴情報最小件数(スケール)」、地図スクロール連続操作時は「表示履歴情報最小件数(表示メッシュ)」を取得し、表示履歴情報格納部103のスケールまたは表示メッシュの件数が同件数以下の場合（ステップST148，ST1419）、地物情報検索キャンセル処理を行わず、地物情報検索機能部202の機能を実行する（ステップST1414）。表示履歴情報格納部103のスケールまたは表示メッシュの件数が同件数以上の場合（ステップST148，ST1419）、表示履歴情報格納部103のスケール件数をユーザIDをキーとして検索し、前回リクエストのスケールまたは表示領域のメッシュが存在する割合を算出する（ステップST1410，ST1420）。
【００５０】
次に、連続操作統計定義情報格納部209からスケール変更連続操作時は「地物情報検索キャンセルスケール頻出割合」、地図スクロール連続操作時は「地物情報検索キャンセル表示メッシュ頻出割合」を取得し（ステップST1411）、当該地物情報検索キャンセル表示メッシュ頻出割合が、算出した前回リクエストのスケールまたは表示領域のメッシュが存在する割合以上の場合（ステップST1412，ST1423）、地物情報検索キャンセル処理を行わず、地物情報検索機能部202の機能を実行（ステップST1414）し、算出した前回リクエストのスケールまたは表示領域のメッシュが存在する割合以下の場合、前回リクエスト地物情報検索処理を中止し（ステップST1413）、現行リクエストの処理を実行し、以上の処理を繰り返す。
【００５１】
本実施の形態４によれば、従来とは異なり、地図の連続操作が行われた場合、全リクエストの地物情報検索と地物描画処理が実行され、連続操作の最後のリクエスト処理が終了するまでに時間がかかっていたが、ユーザの表示履歴情報からメッシュのリクエスト頻度の低いスケールまたは表示領域のリクエスト処理をキャンセルすることで、地物表示までの時間およびユーザのストレスを軽減することが可能とし、全部のリクエストをキャンセルする場合に比べて次回以降の操作で地物表示処理を削減させることも可能になる。
【００５２】
実施の形態５．
地図情報システムにおいて、地図に表示する地物は地物の種類毎に表示を切り替えるのが一般的である。業務によって全て表示したり、限定的に表示する。例えば、地物を俯瞰したい場合には前者、ユーザが既知の地物情報を参照および更新したい場合は後者となる。
本実施の形態５では、後者の用途に対し、ユーザの参照地物の統計を取得し、表示頻度の低い地物種別を簡略的に表示することによって地物検索時間および地物表示時間を削減することを可能とする。
【００５３】
本実施の形態５形態を実現する機能構成図を図１５に、データ構成例を図１６に、それぞれ例示する。図３、図６、図７と異なるものについてのみ以下に説明する。
地物種別検索／描画管理機能部210は、ユーザの地図操作において、表示履歴情報格納部103から表示頻度の少ない地物種別に対して地物情報検索機能部202と地物描画機能部302によって地物を存在する位置に正確に表示する形態１〜形態４で説明した方法(通常地物表示と呼ぶ)を使用せず、地物情報検索機能部202と地物簡略描画機能部303の各機能の実行によって、メッシュの領域単位で地物件数と地物アイコン１つを表示し、地物を簡略表示する機能である。
【００５４】
地物種別検索／描画管理統計定義情報格納部211は、図１６に例示のように、少なくとも、地物種別検索／描画管理機能部210で地物情報検索機能部202と地物簡略描画機能部303の各機能を実行するための基準となる「簡略表示地物種別頻出割合」、地物簡略表示可否を決定する「地物簡略表示フラグ」、地物情報検索機能部202と地物簡略描画機能部303の各機能の実行に必要な「表示履歴情報最小件数(地物種別)」の項目を持つ。
地物簡略描画機能部303は、地物情報検索機能部202で取得したメッシュ単位の地物件数と、地物アイコン１つ（あるいは実際に格納されている地物の数より少ない数の地物をアイコン表示しても可）とを併せて表示することによって地物を簡略表示する機能を有している。
【００５５】
次に動作について説明する。動作の流れとしては、（１）ユーザが地図操作後、表示履歴登録機能部203によってユーザの表示地物種別を表示履歴情報の一部として登録し（本実施の形態５では、以下、「処理（１）と記す」）、（２）地物種別検索／描画管理統計定義情報格納部211の機能に従って地物情報検索機能部202と地物簡略描画機能部303の各機能を実行する（本実施の形態５では、以下、「処理（２）と記す」）。
処理（１）は前述の実施の形態１と同様であるため、説明を省略し、処理（２）を説明する。処理（２）での処理手順を、フローチャートにより図１７に例示し、以下図１７によって処理（２）について詳述する。
【００５６】
処理（２）
地物種別検索／描画管理統計定義情報格納部211は、ユーザの地図操作のリクエスト情報を取得する（ステップST171）。表示地物種別が前回リクエストの表示地物種別と一致しない場合（ステップST172）、地物情報検索機能部202と地物描画機能部302を実行し（ステップST1710）、一致する場合、地物種別検索／描画管理統計定義情報格納部211から「地物簡略表示フラグ」を取得する（ステップST173）。
同フラグがfalseの場合（ステップST174）、地物情報検索機能部202と地物描画機能部302の各機能を実行し（ステップST1710）、同フラグがtrueの場合は、地物種別検索／描画管理統計定義情報格納部211から「表示履歴情報最小件数(地物種別単位での件数)」を取得する（ステップST175）。
以降の処理は表示地物の種別の数分処理を繰り返す。
【００５７】
次に、表示履歴情報格納部103からユーザIDをキーとして地物種別件数を取得し（ステップST176）、「表示履歴情報最小件数(地物種別)」より大きい場合は（ステップST177）、地物情報検索機能部202と地物描画機能部302の各機能を実行して通常の地物描画（表示）を実行（ステップST1710）し、小さい場合、地物情報検索機能部202によって地物種別の地物件数を取得（ステップST178）し、地物簡略描画機能部303によって通常地物表示で使用する地物アイコン１つと地物件数とを併せてユーザ側の表示装置3040の表示画面の表示領域に同時に表示する（ステップST179）。
簡略表示地物の表示位置については、図１８に示す表示例のように表示領域と表示領域にかかる各メッシュが重なる領域の中心に表示する。
【００５８】
本実施の形態５により、ユーザの表示履歴情報から表示頻度の低い地物のみを簡易表示対象とすることによってユーザの用途に合った地物表示を可能とするとともに、通常地物表示より地物表示までの処理時間を削減可能とする。
【００５９】
実施の形態６．
前述の実施形態１，２では、システム運用開始後にユーザの表示履歴情報から最適メッシュサイズを算出し、前述の実施の形態３で更新することで地物検索性能を向上可能とするが、システム引用開始前はユーザの表示履歴情報格納部103内の表示履歴情報がないため、本実施の形態６では、運用開始前に登録された地物情報格納部102に格納された地物の分布状態から最適メッシュサイズを算出し、システム運用開始前でも、地物検索性能を向上可能とする最適メッシュサイズの算出を可能とする。
【００６０】
本実施の形態６を実現する機能構成図を図１９、データ構成例を図２０に、それぞれ例示する。図３、図６、図７と異なるものについてのみ以下に説明する。
地物密度最適メッシュサイズ算出機能部212は、地物密度統計定義情報格納部213をもとに、地物情報格納部102に存在する地物の領域に対して分布密度が高い地物領域を算出し、統計することによって、最適メッシュサイズを算出する機能である。
【００６１】
地物密度統計定義情報格納部213は、その格納データとして、少なくとも、地物の密度を取得するための「地物検索領域」と、「地物検索領域」よって検索された地物の領域内の密度を決定する「領域内地物件数最小値」、最終的なメッシュサイズを決定するための「メッシュサイズ補正間隔」(形態2で説明した項目と同様)の項目を持つ。
【００６２】
次に動作について説明する。
動作の流れとしては、（１）システム管理者が地物密度統計定義情報213を定義した後、地物密度最適メッシュサイズ算出機能212の機能を実行する（本実施の形態６では、以下、「処理（１）と記す」）。その後、（２）最適メッシュサイズ更新機能部207の機能を実行して地物情報102のメッシュ定義を更新する（本実施の形態６では、以下、「処理（２）と記す」）。処理（２）は前述の実施の形態３と同様であるため、説明を省略し、処理（１）を説明する。処理（１）での処理手順を、フローチャートにより図２１に例示し、以下、図２１によって処理（２）について詳述する。
【００６３】
地物密度最適メッシュサイズ算出機能部212は、地物情報格納部102に格納された地物情報から全地物が存在する座標の最小値と最大値を算出する（ステップST211）。次に、地物密度統計定義情報格納部213から「地物検索領域」を取得し（ステップST212）、取得した全地物の存在する座標の最小値から最大値まで地物検索領域の地物を地物情報検索機能部202によって検索する（ステップST213）。検索された各領域の地物情報において、領域内の全地物の全地物が存在する座標の最小値と最大値（ステップST214）から領域内地物存在領域を算出し（ステップST215）、領域内の地物数が地物密度統計定義情報格納部213の「領域内地物件数最小値」以上である領域を抽出する（ステップST216）。
次に抽出した領域の平均値を算出し（ステップST217）、地物密度統計定義情報格納部213の「メッシュサイズ補正間隔」を使用して（ステップST218）、最終的なメッシュサイズを決定（ステップST219）する(形態１と同じ処理であるため、説明を省略する)。
【００６４】
実施の形態１では、地図情報システムの運用開始後にユーザが利用した表示領域履歴から地物検索性能を向上するための最適メッシュサイズを算出していたが、システムの運用開始前に対しても、任意の領域の地物密度から最適メッシュサイズを算出することで、システム管理者のシステム保守作業を支援するとともに、メッシュサイズ決定のための作業時間を削減可能とする。従来とは異なり、地物密度の大きい領域を基準としてメッシュサイズを決定するため、地物を検索するメッシュ数が削減され、地物検索性能を向上させる。
【００６５】
なお、前述の実施の形態１〜６の地図情報システムの何れにおいても、ユーザ側の表示装置3040を、地図表示装置1020の近傍に設置しても、あるいは地図表示装置1020から通信ネットワークやＬＡＮを介して遠隔地に設置しても、また、地図表示装置1020に一体的に組み付けてもよい。
【００６６】
前述のように、従来のシステムでは、表示・検索対象に応じてメッシュサイズを変える、または、階層的メッシュ構造にするという方法で地物の検索性能および地図表示性能を向上していたが、前述の本発明の実施の形態は、ユーザの地図表示領域やスケールの統計を行うことで最適なメッシュサイズを決定し、地図情報システム管理者への最適メッシュサイズ提供と、地図情報システム管理者が実施していたメッシュサイズの更新作業軽減と、地物の表示性能の向上とを目的とするものである。
【００６７】
本発明の実施の形態は、前述のように、以下の技術的な特徴ａ〜ｆがある。
特徴ａ：実施の形態１に示したように、システム運用開始後に地図上でユーザが表示した表示領域情報を統計することで、システムの用途に応じて地図上で管理する空間的な座標の情報を持つ地物の検索性能を向上するための最適なメッシュサイズを算出可能とする地図情報システムである。
特徴ｂ：実施の形態２に示したように、統計定義情報によって最適メッシュサイズの算出コンセプトをカスタマイズ可能とする地図情報システムである。
特徴ｃ：実施の形態３に示したように、最適メッシュサイズの通知または自動更新することで、システム管理者のシステム保守作業を軽減する地図情報システムである。
特徴ｄ：実施の形態４に示したように、地図連続操作時に表示領域とスケールを統計することで、連続操作のリクエスト処理のうち、リクエスト頻度の少ない表示領域またはスケールの地物検索処理を省略し、地物の検索性能が向上する地図情報システムである。
特徴ｅ：実施の形態５に示したように、ユーザが地図上で表示する地物を統計することで、利用頻度の少ない地物種別を簡略表示し、地物検索性能および地物表示性能を向上する地図情報システムである。
特徴ｆ：実施の形態６に示したように、システム運用開始前に地物情報から任意の表示領域内の地物の分布を統計することで、地物の検索性能を向上するための最適なメッシュサイズを算出可能とする地図情報システムである。
【００６８】
また、本発明の実施の形態は、前述のように、以下の技術的な特徴１〜９もある。
特徴１：ユーザ側の表示装置、および地図を前記表示装置の表示画面に表示するための地図情報が格納されている地図情報格納部と、地物を前記表示装置の表示画面に表示するための地物情報が格納されている地物情報格納部と、前記表示装置の表示画面における地図表示領域に表示する地図情報を前記地図情報格納部から検索する機能を有する地図情報検索機能部と、前記表示装置の表示画面における前記地図表示領域にメッシュ単位で表示する地物情報を前記地物情報格納部から検索する機能を有する地物情報検索機能部とを有した地図表示装置、を備え、前記ユーザ側の表示装置が地図表示操作されると、当該地図表示操作によるリクエストに応動して前記地図情報検索機能部が前記地図情報格納部から検索して前記表示画面における地図表示領域に前記地図表示操作によるリクエストに対応した地図を表示するように動作すると共に、地図表示操作によるリクエストに応動して前記地物情報検索機能部が前記地物情報格納部から検索して前記表示画面における地図表示領域に対応する複数個のメッシュで地物を表示するように動作する地図情報システムにいて、前記地図表示領域に表示された前記地物の表示履歴情報を格納する表示履歴情報格納部、および表示履歴情報格納部に格納された前記地物の表示履歴情報から前記地図表示領域への同じ地物の表示回数が所定回数となる当該地物に対応する前記複数個のメッシュを統合した拡張メッシュを算出するメッシュサイズ算出機能部を備え、前記地図表示操作により前記同じ地物の表示がリクエストされると、前記地図表示領域に前記拡張メッシュで前記同じ地物が表示される地図情報システムである。
特徴２：特徴１に記載の地図情報システムにおいて、前記メッシュサイズ算出機能部がユーザ毎に前記拡張メッシュを算出し、前記ユーザ毎に前記拡張メッシュの算出に基づいて前記地図表示領域に前記拡張メッシュで前記同じ地物が表示されるものである。
特徴３：特徴１または特徴２に記載の地図情報システムにおいて、前記地図表示装置が、表示履歴情報格納部および前記メッシュサイズ算出機能部を有しているものである。
特徴４：特徴１〜特徴３の何れか一に記載の地図情報システムにおいて、メッシュサイズの算出コンセプトが定義付けられた定義情報格納部が設けられているものである。
特徴５：特徴１〜特徴３の何れか一に記載の地図情報システムにおいて、前記拡張メッシュの算出が前記表示装置の不使用時にバッチ処理されるものである。
特徴６：特徴１〜特徴５の何れか一に記載の地図情報システムにおいて、前記拡張メッシュの算出結果を報告する報告機能部が設けられているものである。
特徴７：特徴１〜特徴６の何れか一に記載の地図情報システムにおいて、前記地図表示領域の地図のスクロールおよびスケール変更を判別し、前記スクロール中および前記スケール変更中は、前記地物情報検索機能部が前記地物情報格納部を前記検索する処理を不実行とするものである。
特徴８：特徴１〜特徴７の何れか一に記載の地図情報システムにおいて、前記地図表示領域に表示される頻度の少ない同一メッシュ内の複数の地物の表示を、前記地物情報検索機能部による検索負荷が軽減する簡略表示とするものである。
特徴９：特徴１〜特徴８の何れか一に記載の地図情報システムにおいて、システム運用開始前に、前記地物情報格納部に予め格納されている地物の分布状態から前記地物の密度の高い領域の複数個のメッシュを統合した拡張メッシュが算出され、前記地物の密度の高い領域の複数個のメッシュを統合した拡張メッシュ内の地物の表示がシステム運用開始後に前記地図表示操作によりリクエストされると、前記地物の密度の高い領域の複数個のメッシュを統合した拡張メッシュで当該地物が前記地図表示領域に表示されるものである。
【００６９】
なお、本発明は、その発明の範囲内において、各実施の形態を適宜、変形、省略することができる。
なお、各図中、同一符合は同一または相当部分を示す。
【符号の説明】
【００７０】
101  地図情報格納部、102  地物情報格納部、103  表示履歴情報格納部、
104  統計情報格納部、201  地図情報検索機能部、202  地物情報検索機能部、
203  表示履歴登録機能部、204  最適メッシュサイズ算出機能部、
205  統計定義情報格納部、206  最適メッシュサイズ報告機能部、
207  最適メッシュサイズ更新機能部、208  連続操作地物情報検索管理機能部、
209  連続操作統計定義情報格納部、210  地物種別検索／描画管理機能部、
211  地物種別検索／描画管理統計定義情報格納部、
212  地物密度最適メッシュサイズ算出機能部、
213  地物密度統計定義情報格納部、301  地図描画機能部、
302  地物描画機能部、401  地図表示機能部、1020  地図表示装置、
1234  地図情報システム、3040  ユーザ側の表示装置。
【図１】
2014157300.tif 000003
【図２】
2014157300.tif 000004
【図３】
2014157300.tif 000005
【図４】
2014157300.tif 000006
【図５】
2014157300.tif 000007
【図６】
2014157300.tif 000008
【図７】
2014157300.tif 000009
【図８】
2014157300.tif 000010
【図９】
2014157300.tif 000011
【図１０】
2014157300.tif 000012
【図１１】
2014157300.tif 000013
【図１２】
2014157300.tif 000014
【図１３】
2014157300.tif 000015
【図１４】
2014157300.tif 000016
【図１５】
2014157300.tif 000017
【図１６】
2014157300.tif 000018
【図１７】
2014157300.tif 000019
【図１８】
2014157300.tif 000020
【図１９】
2014157300.tif 000021
【図２０】
2014157300.tif 000022
【図２１】
2014157300.tif 000023